(57)【要約】【課題】眼鏡と映像出力装置との通信が途絶えた場合に、表示部に表示される３次元映像を２次元映像に切り替える操作が煩雑になるのを抑制することが可能な映像出力装置を提供する。【解決手段】この液晶テレビジョン装置（映像出力装置）２００は、２次元映像と３次元映像とを切り替えて表示することが可能な表示部１と、少なくとも３次元映像を見るための眼鏡３００との通信を行うための通信部２と、ユーザが眼鏡３００を装着した状態で表示部１に３次元映像が表示されている際に、通信部２と眼鏡３００との通信が途絶えた場合には、３次元映像を２次元映像に切り替えて表示するように制御する制御部１１とを備える。【選択図】図３
2011234278.tif 000002
【特許請求の範囲】
【請求項１】
少なくとも３次元映像を見るための眼鏡との通信を行うための通信部と、
ユーザが前記眼鏡を装着した状態で表示部に前記３次元映像が表示されている際に、前記通信部と前記眼鏡との通信が途絶えた場合には、前記３次元映像を前記２次元映像に切り替えて前記表示部に表示するように制御する制御部とを備える、映像出力装置。
【請求項２】
前記制御部は、ユーザが前記眼鏡を装着した状態で前記表示部に前記３次元映像が表示されている際に、前記通信部と前記眼鏡との通信が所定の時間以上途絶えた場合には、前記３次元映像を前記２次元映像に切り替えて表示するように構成されている、請求項１に記載の映像出力装置。
【請求項３】
前記制御部は、ユーザが前記眼鏡を装着した状態で前記表示部に前記３次元映像が表示されている際に、前記通信部と前記眼鏡との通信が途絶えた時間が所定の時間未満の場合には、前記３次元映像を前記２次元映像に切り替えずに前記３次元映像の表示を継続するように構成されている、請求項１または２に記載の映像出力装置。
【請求項４】
前記眼鏡は、前記３次元映像のみならず前記２次元映像も見ることが可能であり、
前記制御部は、ユーザが前記眼鏡を装着した状態で前記表示部に前記３次元映像が表示されている際に、前記通信部と前記眼鏡との通信が途絶えた場合には、前記３次元映像を前記２次元映像に切り替えて前記眼鏡により観察可能に表示するように構成されている、請求項１〜３のいずれか１項に記載の映像出力装置。
【請求項５】
前記制御部は、ユーザが前記眼鏡を装着した状態で前記表示部に前記３次元映像が表示されている際に、前記通信部と前記眼鏡との通信が途絶えた場合には、前記３次元映像を前記２次元映像に切り替えて表示した後に、再度、前記通信部と前記眼鏡との通信が確立した場合には、前記２次元映像を前記３次元映像に切り替えて表示するように構成されている、請求項１〜４のいずれか１項に記載の映像出力装置。
【請求項６】
請求項１〜５のいずれか１項に記載の映像出力装置に用いられる、眼鏡。
【請求項７】
通信を行うための第１通信部と、３次元映像と２次元映像とを切り替えて表示部に表示するように制御する第１制御部とを含む映像出力装置と、
前記映像出力装置の前記第１通信部と通信を行うための第２通信部と、前記映像出力装置の前記表示部に表示される少なくとも前記３次元映像を観察可能に制御する第２制御部とを含む眼鏡とを備え、
前記映像出力装置の前記第１制御部は、ユーザが前記眼鏡を装着した状態で前記表示部に前記３次元映像が表示されている際に、前記第１通信部と前記第２通信部との通信が途絶えた場合には、前記３次元映像を前記２次元映像に切り替えて前記表示部に表示させるように構成されている、映像出力システム。
【発明の詳細な説明】
【技術分野】
【０００１】
この発明は、映像出力装置、眼鏡および映像出力システムに関し、特に、２次元映像と３次元映像とを切り替えて表示部に表示するように制御する制御部を備える映像出力装置、眼鏡および映像出力システムに関する。
【背景技術】
【０００２】
従来、２次元映像と３次元映像とを切り替えて表示部に表示するように制御する制御部を備える映像出力装置、眼鏡および映像出力システムが知られている（たとえば、特許文献１参照）。
【０００３】
上記特許文献１には、無線通信を行うための通信部と、２次元映像と３次元映像とを切り替えて表示部に表示するように制御する制御部とを含むモニタ（映像出力装置）、および、モニタの通信部と無線通信を行うための通信部と、モニタの表示部に表示される３次元映像を観察可能に制御する制御部とを含む映像鑑賞用眼鏡（眼鏡）を備えた映像表示切り替えシステム（映像出力システム）が開示されている。上記特許文献１に記載の映像表示切り替えシステムでは、映像鑑賞用眼鏡には、ユーザが映像鑑賞用眼鏡を装着したか否かを検出可能に構成されており、ユーザの映像鑑賞用眼鏡の装着または非装着状態を映像鑑賞用眼鏡の制御部がモニタの通信部に対して送信するように構成されている。また、ユーザが映像鑑賞用眼鏡を装着した場合には、モニタの表示部に３次元映像が表示されるように構成されている。また、ユーザが映像鑑賞用眼鏡をはずした場合（非装着時）には、３次元映像を２次元映像に切り替えて表示部に表示させるように構成されている。
【０００４】
なお、上記特許文献１において、モニタの制御部は、モニタの表示部に３次元映像の右目用映像が表示されている場合には、映像鑑賞用眼鏡の左目部分のシャッターを閉じる（左目部分が見えない）ように制御し、３次元映像の左目用映像が表示されている場合には、映像鑑賞用眼鏡の右目部分のシャッターを閉じる（右目部分が見えない）ように制御する信号を映像鑑賞用眼鏡の通信部に送信（通信）するように構成されている。これにより、ユーザは、映像鑑賞用眼鏡を装着した状態で、モニタの表示部に表示される３次元映像を観察（鑑賞）することが可能となる。
【先行技術文献】
【特許文献】
【０００５】
【特許文献１】特開２０００−４４５３号公報
【発明の概要】
【発明が解決しようとする課題】
【０００６】
しかしながら、上記特許文献１では、ユーザが映像鑑賞用眼鏡を装着している際に、たとえば、映像鑑賞用眼鏡に設けられたバッテリーや電源が切れることにより、映像鑑賞用眼鏡とモニタとの間の通信が途絶えた場合には、映像鑑賞用眼鏡のシャッターの駆動が停止する一方、モニタの表示部には、３次元映像が表示されたままの状態になっていると考えられる。このため、表示部に表示される３次元映像を観察（鑑賞）することが困難であるという不都合があると考えられる。この場合、たとえば、ユーザは、リモコンなどを手動で操作して表示部に表示される３次元映像を映像鑑賞用眼鏡なしで観察可能な２次元映像に切り替える必要があるため、３次元映像を２次元映像に切り替える操作が煩雑になるという問題点がある。
【０００７】
この発明は、上記のような課題を解決するためになされたものであり、この発明の１つの目的は、眼鏡と映像出力装置との通信が途絶えた場合に、表示部に表示される３次元映像を２次元映像に切り替える操作が煩雑になるのを抑制することが可能な映像出力装置、眼鏡および映像出力システムを提供することである。
【課題を解決するための手段および発明の効果】
【０００８】
この発明の第１の局面による映像出力装置は、少なくとも３次元映像を見るための眼鏡との通信を行うための通信部と、ユーザが眼鏡を装着した状態で表示部に３次元映像が表示されている際に、通信部と眼鏡との通信が途絶えた場合には、３次元映像を２次元映像に切り替えて表示部に表示するように制御する制御部とを備える。
【０００９】
この第１の局面による映像出力装置では、上記のように、制御部をユーザが眼鏡を装着した状態で表示部に３次元映像が表示されている際に、通信部と眼鏡との通信が途絶えた場合には、３次元映像を２次元映像に切り替えて表示部に表示するように構成することによって、ユーザが手動で３次元映像を２次元映像に切り替える必要がなくなるので、表示部に表示される３次元映像を２次元映像に切り替える操作が煩雑になるのを抑制することができる。
【００１０】
上記第１の局面による映像出力装置において、好ましくは、制御部は、ユーザが眼鏡を装着した状態で表示部に３次元映像が表示されている際に、通信部と眼鏡との通信が所定の時間以上途絶えた場合には、３次元映像を２次元映像に切り替えて表示するように構成されている。このように構成すれば、制御部が通信部と眼鏡との通信が途絶えたと判断してからすぐに３次元映像を２次元映像に切り替える場合と異なり、通信部と眼鏡との通信が確実に途絶えた後に３次元映像を２次元映像に切り替えて表示することができる。
【００１１】
上記第１の局面による映像出力装置において、好ましくは、制御部は、ユーザが眼鏡を装着した状態で表示部に３次元映像が表示されている際に、通信部と眼鏡との通信が途絶えた時間が所定の時間未満の場合には、３次元映像を２次元映像に切り替えずに３次元映像の表示を継続するように構成されている。このように構成すれば、通信部と眼鏡との通信が瞬間的に途絶える場合など途絶えた時間が所定の時間未満の場合には、通信部と眼鏡との通信が途絶えていないと判断されるので、通信が瞬間的に途絶えた場合などに３次元映像が２次元映像に切り替わってしまうのを有効に抑制することができる。
【００１２】
上記第１の局面による映像出力装置において、好ましくは、眼鏡は、３次元映像のみならず２次元映像も見ることが可能であり、制御部は、ユーザが眼鏡を装着した状態で表示部に３次元映像が表示されている際に、通信部と眼鏡との通信が途絶えた場合には、３次元映像を２次元映像に切り替えて眼鏡により観察可能に表示するように構成されている。このように構成すれば、眼鏡を装着した状態で３次元映像と２次元映像とが切り替わった場合でも、眼鏡のかけはずしを行うことなく２次元映像をそのまま観察（鑑賞）することができるので、ユーザの利便性を向上させることができる。
【００１３】
上記第１の局面による映像出力装置において、好ましくは、制御部は、ユーザが眼鏡を装着した状態で表示部に３次元映像が表示されている際に、通信部と眼鏡との通信が途絶えた場合には、３次元映像を２次元映像に切り替えて表示した後に、再度、通信部と眼鏡との通信が確立した場合には、２次元映像を３次元映像に切り替えて表示するように構成されている。このように構成すれば、再度、通信部と眼鏡との通信が確立した場合に、ユーザが手動で２次元映像を３次元映像に切り替える必要がない。
【００１４】
この発明の第２の局面による眼鏡は、上記のいずれかの構成を有する映像出力装置に用いられる。このように構成すれば、眼鏡と映像出力装置との通信が途絶えた場合に、表示部に表示される３次元映像を２次元映像に切り替える操作が煩雑になるのを抑制することが可能な眼鏡を得ることができる。
【００１５】
この発明の第３の局面による映像出力システムは、通信を行うための第１通信部と、３次元映像と２次元映像とを切り替えて表示するように表示部を制御する第１制御部とを含む映像出力装置と、映像出力装置の第１通信部と通信を行うための第２通信部と、映像出力装置の表示部に表示される少なくとも３次元映像を観察可能に制御する第２制御部とを含む眼鏡とを備え、映像出力装置の第１制御部は、ユーザが眼鏡を装着した状態で映像出力装置の表示部に３次元映像が表示されている際に、第１通信部と第２通信部との通信が途絶えた場合には、３次元映像を２次元映像に切り替えて表示部に表示させるように構成されている。
【００１６】
この第３の局面による映像出力システムでは、上記のように、映像出力装置の第１制御部を、ユーザが眼鏡を装着した状態で映像出力装置の表示部に３次元映像が表示されている際に、第１通信部と第２通信部との通信が途絶えた場合には、３次元映像を２次元映像に切り替えて表示部に表示させるように構成する。これにより、ユーザが手動で３次元映像を２次元映像に切り替える必要がなくなるので、映像出力装置の表示部に表示される３次元映像を２次元映像に切り替える操作が煩雑になるのを抑制することができる。
【図面の簡単な説明】
【００１７】
【図１】本発明の第１実施形態による液晶テレビジョン装置および眼鏡を備えた映像出力システムを示す模式図である。
【図２】本発明の第１実施形態による液晶テレビジョン装置および眼鏡を備えた映像出力システムのブロック図である。
【図３】本発明の第１実施形態による液晶テレビジョン装置の制御部および眼鏡の制御部の制御動作を示すフローチャートである。
【図４】本発明の第２実施形態による液晶テレビジョン装置、眼鏡およびＤＶＤレコーダを備えた映像出力システムのブロック図である。
【図５】本発明の第２実施形態による眼鏡の制御部およびＤＶＤレコーダの制御部の制御動作を示すフローチャートである。
【図６】本発明の第２実施形態による液晶テレビジョン装置の制御部の制御動作を示すフローチャートである。
【図７】本発明の第１実施形態による液晶テレビジョン装置および眼鏡を備えた映像出力システムの変形例を示すブロック図である。
【発明を実施するための形態】
【００１８】
以下、本発明を具体化した実施形態を図面に基づいて説明する。
【００１９】
（第１実施形態）
図１および図２を参照して、本発明の第１実施形態による映像出力システム１００の構成について説明する。
【００２０】
本発明の第１実施形態による映像出力システム１００は、図１に示すように、液晶テレビジョン装置２００と、液晶テレビジョン装置２００の表示部１に表示される３次元（３Ｄ）映像および２次元（２Ｄ）映像を観察（鑑賞）するための眼鏡３００とを含んでいる。なお、液晶テレビジョン装置２００は、本発明の「映像出力装置」の一例である。
【００２１】
また、液晶テレビジョン装置２００は、眼鏡３００とＢｌｕｅｔｏｏｔｈ（登録商標）により無線通信を行うための通信部２と、音声を発生させるスピーカ部３とを含んでいる。なお、通信部２は、本発明の「第１通信部」の一例である。
【００２２】
また、図２に示すように、液晶テレビジョン装置２００は、ＤＶＤレコーダ（録画再生装置）などと接続するための外部入力端子４と、アンテナ５を介して放送局から配信されるデジタルテレビジョン放送信号を受信する受信部６とを含んでいる。これら外部入力端子４および受信部６は、映像および音声信号の入出力を切り替える機能を有するＡＶセレクタ７に接続されている。
【００２３】
また、ＡＶセレクタ７には、受信部６からの映像・音声信号をデコード（復号）するためのＡＶデコーダ８が接続されている。ＡＶデコーダ８は、ＡＶセレクタ７によって分離された映像信号および音声信号のそれぞれに対してデコード処理（符号の復号化）を行い、映像データおよび音声データを生成する機能を有する。
【００２４】
また、ＡＶデコーダ８には、ＡＶデコーダ８からの音声信号を処理する音声処理部９と、ＡＶデコーダ８からの映像信号の各種処理を行う映像処理部１０とが接続されている。
【００２５】
音声処理部９は、後述する制御部１１の制御により、Ｄ／Ａ変換処理（デジタル／アナログ変換処理）を施した上で、デジタルテレビジョン放送の番組などの音声をスピーカ部３に出力する機能を有している。
【００２６】
映像処理部１０は、表示部１に接続されており、後述する制御部１１の制御により、Ｄ／Ａ変換処理を施した上で、デジタルテレビジョン放送の番組などの３次元映像と２次元映像とを切り替えて表示部１に表示されるように出力する機能を有している。また、表示部１に３次元映像が表示される場合には、制御部１１の制御により、右目用の映像と左目用の映像とが所定の時間間隔で交互に表示部１に表示されるように構成されている。
【００２７】
また、液晶テレビジョン装置２００は、液晶テレビジョン装置２００全体の制御を司る制御部１１をさらに含んでいる。なお、制御部１１は、本発明の「第１制御部」の一例である。制御部１１は、通信部２と接続されており、通信部２は、後述する眼鏡３００の通信部２１と無線通信可能に構成されている。また、液晶テレビジョン装置２００内の各部分は、バス（伝送路）１２によって互いに接続されることによって、制御信号および制御上のデータを互いに通信することが可能に構成されている。
【００２８】
また、眼鏡３００は、眼鏡３００全体の制御を司る制御部２０と、液晶テレビジョン装置２００の通信部２と無線通信を行うための通信部２１と、電池２２と、電源部２３と、ユーザが眼鏡３００を装着したか否かを検知するための装着検知部２４とを含んでいる。なお、制御部２０は、本発明の「第２制御部」の一例である。これら通信部２１、電池２２、電源部２３および装着検知部２４は、制御部２０に接続されている。
【００２９】
また、装着検知部２４は、眼鏡３００のユーザの鼻に接触する部分に設けられている。装着検知部２４は、ユーザが眼鏡３００を装着する際に、ユーザの鼻と接触する部分の圧力や温度などにより、ユーザが眼鏡３００を装着しているか否かを検知可能に構成されている。なお、装着検知部２４は、眼鏡３００のユーザの鼻と接触する部分以外に、眼鏡３００のユーザの耳と接触する部分に設けられていてもよい。
【００３０】
また、眼鏡３００の制御部２０には、右目用ドライバ２５および左目用ドライバ２６が接続されている。右目用ドライバ２５は、液晶シャッターからなる右目用シャッター２５ａを駆動するように構成されており、左目用ドライバ２６は、液晶シャッターからなる左目用シャッター２６ａを駆動するように構成されている。たとえば、液晶テレビジョン装置２００の表示部１に３次元映像の右目用の映像が表示されている場合には、制御部２０は、眼鏡３００の左目用シャッター２６ａを閉じる（見えなくなる）ことにより、ユーザの右目で表示部１の右目用の映像を観察（鑑賞）可能に制御するように構成されている。また、表示部１に左目用の映像が表示されている場合には、制御部２０は、眼鏡３００の右目用シャッター２５ａを閉じる（見えなくなる）ことにより、ユーザの左目で表示部１の左目用の映像を観察（鑑賞）可能に制御するように構成されている。これにより、ユーザが眼鏡３００を装着した状態で、表示部1に表示される３次元映像を立体的に観察（鑑賞）することが可能となる。
【００３１】
また、眼鏡３００の電源部２３がオフ状態（右目用シャッター２５ａおよび左目用シャッター２６ａが駆動されていない状態）では、右目用シャッター２５ａおよび左目用シャッター２６ａは、開いた状態になる（つまり、透過率が最大となるノーマリホワイトの状態になる）ように構成されている。このとき、ユーザは、眼鏡３００を装着した状態で、液晶テレビジョン装置２００の表示部１に表示される３次元映像を観察（鑑賞）することはできないが、２次元映像を観察（鑑賞）することは可能である。
【００３２】
次に、図２および図３を参照して、液晶テレビジョン装置２００の制御部１１、および、眼鏡３００の制御部２０の制御動作について説明する。
【００３３】
まず、液晶テレビジョン装置２００側の制御部１１の制御動作としては、図３に示すように、ステップＳ１０１において、表示部１に２次元映像を表示させる。
【００３４】
次に、眼鏡３００側の制御部２０の制御動作としては、ステップＳ２０１において、ユーザが眼鏡３００を装着しているか否かを検知する装着検知部２４（図２参照）の検知結果に基づいて眼鏡３００を装着しているか否かが判断される。そして、ステップＳ２０１において、眼鏡３００を装着していないと判断された場合には、眼鏡３００を装着していると判断されるまでこの判断を繰り返される。また、ステップＳ２０１において、ユーザが眼鏡３００を装着していると判断された場合には、ステップＳ２０２において、ユーザが眼鏡３００を装着しているという装着信号を液晶テレビジョン装置２００の通信部２（図２参照）に対して送信（通信）する。
【００３５】
次に、液晶テレビジョン装置２００側の制御部１１の制御動作としては、ステップＳ１０２に進み、ユーザが眼鏡３００を装着しているという装着信号を受信して、眼鏡３００の通信部２１との通信が確立したか否かが判断される。ステップＳ１０２において、眼鏡３００との通信が確立していないと判断された場合には、ステップＳ１０３に進み、２次元映像の表示を継続（維持）する。そして、ステップＳ１０２に戻る。
【００３６】
また、ステップＳ１０２において、眼鏡３００の通信部２１からの信号に基づいて通信が確立したと判断された場合には、ユーザが眼鏡３００を装着した状態であると判断され、ステップＳ１０４に進み、通信確立信号を眼鏡３００の通信部２１に対して送信する。これにより、眼鏡３００と液晶テレビジョン装置２００との通信が確立される。そして、ステップＳ１０５に進み、ステップＳ１０５において、眼鏡３００との通信が確立した時間が所定の時間（たとえば５秒）以上であるか否かが判断される。そして、ステップＳ１０５において、眼鏡３００との通信が確立した時間が所定の時間（たとえば５秒）以上ではない（通信が確立した時間が５秒未満）と判断された場合には、ステップＳ１０３に進み、２次元映像の表示を継続する。そして、ステップＳ１０２に戻る。
【００３７】
また、ステップＳ１０５において、眼鏡３００との通信が確立した時間が所定の時間（たとえば５秒）以上であると判断された場合には、ステップＳ１０６に進み、表示部１に表示されている２次元映像を３次元映像に切り替えて表示させる。次に、ステップＳ１０７において、眼鏡３００の右目用シャッター２５ａおよび左目用シャッター２６ａ（図２参照）の切替信号が眼鏡３００の通信部２１に送信される。
【００３８】
そして、眼鏡３００側の制御部２０の制御動作としては、液晶テレビジョン装置２００から通信確立信号および眼鏡３００の右目用シャッター２５ａおよび左目用シャッター２６ａの切替信号が受信され、ステップＳ２０３において、右目用シャッター２５ａおよび左目用シャッター２６ａが駆動される。具体的には、液晶テレビジョン装置２００の表示部１に表示される３次元映像の右目用映像が表示されている場合には、眼鏡３００の左目用シャッター２６ａが閉じるように駆動され、左目用映像が表示されている場合には、眼鏡３００の右目用シャッター２５ａが閉じるように駆動される。これにより、ユーザは、眼鏡３００を装着した状態で３次元映像を観察（鑑賞）することが可能となる。そして、ステップＳ１０８に進む。
【００３９】
次に、ステップＳ１０８において、眼鏡３００との通信が途絶えたか否かが判断される。ステップＳ１０８において、眼鏡３００との通信が途絶えていない（通信が確立している）と判断された場合には、ステップＳ１０９において、３次元映像の表示を継続する。そして、ステップＳ１０７に戻る。
【００４０】
また、ステップＳ１０８において、たとえば、眼鏡３００の電池２２が切れた場合などにより、眼鏡３００との通信が途絶えたと判断した場合には、ステップＳ１１０において、眼鏡３００との通信が途絶えた時間が所定の時間（たとえば５秒）以上か否かが判断される。そして、ステップＳ１１０において、眼鏡３００との通信が途絶えた時間が所定の時間（たとえば５秒）以上ではない（通信が途絶えた時間がたとえば５秒未満）と判断された場合には、ステップＳ１０９において、３次元映像の表示を継続する。そして、ステップＳ１０７に戻る。
【００４１】
ここで、第１実施形態では、ステップＳ１１０において、眼鏡３００との通信が途絶えた時間が所定の時間（たとえば５秒）以上であると判断された場合には、ステップＳ１１１において、ユーザが眼鏡３００を装着した状態で、裸眼でも観察（鑑賞）可能な２次元映像に切り替えて表示部１に表示させる。なお、眼鏡３００の電池２２が切れた場合では、右目用シャッター２５ａおよび左目用シャッター２６ａに設けられている液晶には、電圧が印加されておらず、透過率が最大の状態なので、ユーザは、眼鏡３００を装着した状態で、液晶テレビジョン装置２００の表示部１に表示される２次元映像を観察（鑑賞）可能である。
【００４２】
その後、ステップＳ１０２に戻り、眼鏡３００からの信号を受信して通信が確立したか否かが判断される。その後、ステップＳ１０２において、たとえば、ユーザが眼鏡３００を装着した状態で液晶テレビジョン装置２００が設けられている部屋に入出することにより通信可能になった場合や電池２２を新品に交換した場合などにより、再度、ユーザが眼鏡３００を装着しているという装着信号を受信して、眼鏡３００との通信が確立した場合には、ステップＳ１０６において、ユーザが眼鏡３００を装着した状態で、２次元映像を３次元映像に切り替えて表示部１に表示させる。
【００４３】
そして、眼鏡３００側の制御部２０の動作としては、ステップＳ２０４において、ユーザが眼鏡３００をはずした（非装着）か否かが判断される。ステップＳ２０４において、ユーザが眼鏡３００をはずしていない（眼鏡３００を装着している）と判断された場合には、ステップＳ２０２に戻る。
【００４４】
また、ステップＳ２０４において、ユーザが眼鏡３００をはずした（眼鏡３００を装着していない）と判断された場合には、ステップＳ２０５において、眼鏡３００の装着信号を送信（通信）するのを停止する。これにより、液晶テレビジョン装置２００の制御部１１側の動作としては、ステップＳ１１１において、２次元映像が表示される。
【００４５】
第１実施形態では、上記のように、液晶テレビジョン装置２００の制御部１１をユーザが眼鏡３００を装着した状態で表示部１に３次元映像が表示されている際に、液晶テレビジョン装置２００の通信部２と眼鏡３００の通信部２１との通信が途絶えた場合には、３次元映像を２次元映像に切り替えて表示部１に表示するように構成することによって、ユーザが手動で３次元映像を２次元映像に切り替える必要がなくなるので、表示部１に表示される３次元映像を２次元映像に切り替える操作が煩雑になるのを抑制することができる。
【００４６】
また、第１実施形態では、上記のように、液晶テレビジョン装置２００の制御部１１をユーザが眼鏡３００を装着した状態で表示部１に３次元映像が表示されている際に、液晶テレビジョン装置２００の通信部２と眼鏡３００の通信部２１との通信が所定の時間（約５秒）以上途絶えた場合には、３次元映像を２次元映像に切り替えて表示するように構成することによって、制御部１１が液晶テレビジョン装置２００の通信部２と眼鏡３００の通信部２１との通信が途絶えたと判断してからすぐに３次元映像を２次元映像に切り替える場合と異なり、液晶テレビジョン装置２００の通信部２と眼鏡３００の通信部２との通信が確実に途絶えた後に３次元映像を２次元映像に切り替えて表示することができる。
【００４７】
また、第１実施形態では、上記のように、液晶テレビジョン装置２００の制御部１１をユーザが眼鏡３００を装着した状態で表示部１に３次元映像が表示されている際に、液晶テレビジョン装置２００の通信部２と眼鏡３００の通信部２１との通信が途絶えた時間が所定の時間（たとえば５秒）未満の場合には、３次元映像を２次元映像に切り替えずに３次元映像の表示を継続するように構成することによって、液晶テレビジョン装置２００の通信部２と眼鏡３００の通信部２１との通信が瞬間的に途絶える場合など途絶えた時間が所定の時間（たとえば５秒）未満の場合には、液晶テレビジョン装置２００の通信部２と眼鏡３００の通信部２１との通信が途絶えていないと判断されるので、通信が瞬間的に途絶えた場合などに３次元映像が２次元映像に切り替わってしまうのを有効に抑制することができる。
【００４８】
また、第１実施形態では、上記のように、液晶テレビジョン装置２００の制御部１１をユーザが眼鏡３００を装着した状態で表示部１に３次元映像が表示されている際に、液晶テレビジョン装置２００の通信部２と眼鏡３００の通信部２１との通信が途絶えた場合には、３次元映像を２次元映像に切り替えて眼鏡３００により観察可能に表示するように構成することによって、眼鏡３００を装着した状態で３次元映像と２次元映像とが切り替わった場合でも、眼鏡３００のかけはずしを行うことなく２次元映像をそのまま観察（鑑賞）することができるので、ユーザの利便性を向上させることができる。
【００４９】
また、第１実施形態では、上記のように、液晶テレビジョン装置２００の制御部１１をユーザが眼鏡３００を装着した状態で表示部１に３次元映像が表示されている際に、液晶テレビジョン装置２００の通信部２と眼鏡３００の通信部２１との通信が途絶えた場合には、３次元映像を２次元映像に切り替えて表示した後に、再度、液晶テレビジョン装置２００の通信部２と眼鏡３００の通信部２１との通信が確立した場合には、２次元映像を３次元映像に切り替えて表示するように構成することによって、再度、液晶テレビジョン装置２００の通信部２と眼鏡３００の通信部２１との通信が確立した場合に、ユーザが手動で２次元映像を３次元映像に切り替える必要がない。
【００５０】
（第２実施形態）
次に、図４を参照して、第２実施形態について説明する。この第２実施形態による映像出力システム１０１では、本発明の映像出力装置を液晶テレビジョン装置２００により構成した上記第１実施形態とは異なり、本発明の映像出力装置をＤＶＤレコーダ４００により構成した例について説明する。
【００５１】
ＤＶＤレコーダ４００は、ＤＶＤレコーダ４００全体の制御を司る制御部３０と、眼鏡３００の通信部２１とＢｌｕｅｔｏｏｔｈ（登録商標）により無線通信を行うための通信部３１と、ＤＶＤなどのメディアを読み取るためのメディア読取部３２と、液晶テレビジョン装置２００の外部入力端子４と接続するための外部出力端子３３とを備えている。なお、ＤＶＤレコーダ４００は、本発明の「映像出力装置」の一例である。また、制御部３０は、本発明の「第１制御部」の一例であり、通信部３１は、本発明の「第１通信部」の一例である。
【００５２】
また、ＤＶＤレコーダ４００の通信部３１は、眼鏡３００の通信部２１と無線通信可能に構成されている。また、ＤＶＤレコーダ４００の制御部３０は、眼鏡３００との通信に基づいてＤＶＤレコーダ４００のメディア読取部３２により読み取られたデータを外部出力端子３３および外部入力端子４を介して液晶テレビジョン装置２００の表示部１に表示させるように構成されている。なお、ＤＶＤレコーダ４００は、ＤＶＤレコーダ４００で録画された映像を外部出力端子３３および外部入力端子４を介して液晶テレビジョン装置２００の表示部１に表示させることも可能である。また、第２実施形態のその他の構成は、上記第１実施形態と同様である。
【００５３】
次に、図４および図５を参照して、ＤＶＤレコーダ４００の制御部３０、眼鏡３００の制御部２０および液晶テレビジョン２００の制御部１１の制御動作について説明する。
【００５４】
まず、ＤＶＤレコーダ４００側の制御部３０の制御動作としては、図５に示すように、ステップＳ３０１において、外部出力端子３３（図４参照）を介して、液晶テレビジョン装置２００の外部入力端子４（図４参照）に２次元映像を表示させる信号（図５に示すＡ）を送信する。
【００５５】
そして、液晶テレビジョン装置２００側の制御部１１の制御動作としては、ステップＳ４０１において、ＤＶＤレコーダ４００からの２次元映像を表示させる信号（図６に示すＡ）を受信したか否かが判断される。ステップＳ４０１において、２次元映像を表示させる信号を受信していないと判断された場合には、信号が受信されるまでこの判断を繰り返す。また、ステップＳ４０１において、２次元映像を表示させる信号を受信したと判断された場合には、ステップＳ４０２に進み、表示部１に２次元映像を表示させる。そして、ステップＳ４０３に進む。
【００５６】
また、ＤＶＤレコーダ４００側の制御部３０の制御動作のステップＳ１０２〜ステップＳ１０５のＤＶＤレコーダ４００と眼鏡３００との通信を確立する制御動作は、上記第１実施形態の液晶テレビジョン装置２００の制御部１１の制御動作と同様である。そして、ステップＳ１０６において、液晶テレビジョン装置２００の外部入力端子４に３次元映像を表示させる信号（図５に示すＢ）を送信する。
【００５７】
そして、液晶テレビジョン装置２００側の制御部１１の制御動作としては、ステップＳ４０３において、ＤＶＤレコーダ４００からの３次元映像を表示させる信号（図６に示すＢ）を受信したか否かが判断される。ステップＳ４０３において、ＤＶＤレコーダ４００からの３次元映像を表示させる信号を受信していないと判断された場合には、２次元映像の表示を継続させるとともに、信号が受信されるまでこの判断を繰り返す。また、ステップＳ４０３において、ＤＶＤレコーダ４００から３次元映像を表示させる信号を受信したと判断された場合には、ステップＳ４０４に進み、表示部１に３次元映像を表示させるとともに、ステップＳ４０１に戻る。
【００５８】
また、ＤＶＤレコーダ４００側の制御部３０のステップＳ１０８〜ステップＳ１１１の３次元映像を２次元映像に切り替える制御動作は、上記第１実施形態の液晶テレビジョン装置２００の制御部１１の制御動作と同様である。なお、第２実施形態のその他の制御動作は、上記第１実施形態と同様である。
【００５９】
なお、第２実施形態の効果は、上記第１実施形態と同様である。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１および第２実施形態では、本発明の映像出力装置の一例として、液晶テレビジョン装置およびＤＶＤレコーダを示したが、本発明はこれに限られない。たとえば、液晶テレビジョン装置およびＤＶＤレコーダ以外の３次元映像および２次元映像を出力可能な映像出力装置でもよい。
【００６２】
また、上記第１および第２実施形態では、液晶テレビジョン装置またはＤＶＤレコーダと、眼鏡との通信がたとえば５秒以上途絶えた場合には、３次元映像を２次元映像に切り替えて表示するように構成する例を示したが、本発明はこれに限られない。たとえば、液晶テレビジョンまたはＤＶＤレコーダと、眼鏡との通信が途絶えた時間が５秒未満の場合に、３次元映像を２次元映像に切り替えて表示してもよい。
【００６３】
また、上記第１および第２実施形態では、液晶テレビジョン装置またはＤＶＤレコーダと、眼鏡との間でＢｌｕｅｔｏｏｔｈ（登録商標）により無線通信を行う例を示したが、本発明はこれに限られない。たとえば、図７に示す変形例の映像出力システム１０２のように、液晶テレビジョン装置２０１に赤外線受光部２０２および赤外線２０３を設けるとともに、眼鏡３０１に赤外線送信部３０２および赤外線受光部３０３を設けることにより、液晶テレビジョン装置側と眼鏡側との間で赤外線通信を行ってもよい。
【００６４】
また、上記第１および第２実施形態では、液晶テレビジョン装置またはＤＶＤレコーダと、眼鏡との通信が途絶える理由として眼鏡３００の電池２２が切れる場合を示したが、本発明はこれに限られない。本発明では、眼鏡３００の電池２２が切れる場合以外にも適用可能である。たとえば、ユーザが眼鏡を装着した状態で液晶テレビジョン装置またはＤＶＤレコーダが設けられている部屋から退出することにより、眼鏡との通信が途絶える場合にも適用可能である。
【符号の説明】
【００６５】
２、３１  通信部（第１通信部）
１１、３０  制御部（第１制御部）
２０  制御部（第２制御部）
２１  通信部（第２通信部）
１００、１０１  映像出力システム
２００  液晶テレビジョン装置（映像出力装置）
３００  眼鏡
４００  ＤＶＤレコーダ（映像出力装置）
【図１】
2011234278.tif 000003
【図２】
2011234278.tif 000004
【図３】
2011234278.tif 000005
【図４】
2011234278.tif 000006
【図５】
2011234278.tif 000007
【図６】
2011234278.tif 000008
【図７】
2011234278.tif 000009